(57)【要約】【課題】水平偏向コイルの抵抗成分による水平偏向電流の歪みが防止されるとともに、無調整かつ容易な構成で垂直帰線期間における外乱による水平偏向電流の振幅変動成分を十分に抑制可能な往復偏向回路およびそれを備えた映像表示装置を提供する。【解決手段】水平偏向回路６は、電圧発生回路２０、水平偏向コイル６０、振幅変動補正回路７０およびスイッチング回路８０を含む。電圧発生回路２０は、矩形電圧Ｖ１を発生し、水平偏向コイル６０に与える。水平偏向コイル６０は、インダクタンス成分ＬＨおよび抵抗成分ＲＨを有する。水平偏向コイル６０には、矩形電圧Ｖ１が印加されることにより歪みを有する水平偏向電流が流れる。振幅変動補正回路７０は、抵抗成分ＲＨを打ち消す負抵抗成分を発生する。スイッチング回路８０は、垂直有効走査期間に水平偏向コイル６０を振幅変動補正回路７０に接続し、垂直帰線期間に水平偏向コイル６０を接地する。【選択図】        図２
2004282519.tif 000002
【特許請求の範囲】
【請求項１】
電子ビームを水平方向に往復偏向させるための往復偏向回路であって、
インダクタンス成分および抵抗成分を有する水平偏向コイルと、
前記水平偏向コイルに水平走査周期の２倍の周期で変化する水平偏向電流を供給する水平偏向電流供給手段と、
前記水平偏向コイルの抵抗成分を打ち消すための負性抵抗成分を発生する負性抵抗成分発生手段と、
垂直有効走査期間において前記負性抵抗成分発生手段を有効にし、垂直帰線期間において前記負性抵抗成分発生手段を無効にする切り替え手段とを備えることを特徴とする往復偏向回路。
【請求項２】
前記負性抵抗成分発生手段は、前記水平偏向コイルの抵抗成分により水平偏向電流に生ずる歪成分を打ち消すように前記水平偏向電流を補正することにより等価的に前記負性抵抗成分を発生する歪補正手段を含むことを特徴とする請求項１記載の往復偏向回路。
【請求項３】
前記歪補正手段は、
往路および復路の走査において画面の中心位置を走査すべきタイミングを検出する第１のタイミング検出手段と、
前記水平偏向コイルに流れる水平偏向電流の値が０となるタイミングを検出する第２のタイミング検出手段と、
前記第１のタイミング検出手段により検出されたタイミングと前記第２のタイミング検出手段により検出されたタイミングとが一致するように前記水平偏向電流を補正する電流補正手段とを含むことを特徴とする請求項１または２記載の往復偏向回路。
【請求項４】
前記水平偏向コイルの一端は、前記水平偏向電流供給手段に接続され、
前記第１のタイミング検出手段は、水平同期信号に基づいて画面の中心位置を走査すべきタイミングを示す第１のタイミング信号を発生する第１の信号発生手段を含み、
前記第２のタイミング検出手段は、前記水平偏向コイルに流れる水平偏向電流の値が０となるタイミングを示す第２のタイミング信号を発生する第２の信号発生手段とを含み、
前記電流補正手段は、
前記第１の信号発生手段により発生された第１のタイミング信号の位相と前記第２の信号発生手段により発生された第２のタイミング信号の位相とを比較し、位相差を示す位相差信号を出力する位相比較手段と、
前記位相比較手段により出力される位相差信号に基づいて前記水平偏向コイルの他端の電位を制御する電位制御手段とを含むことを特徴とする請求項１〜３のいずれかに記載の往復偏向回路。
【請求項５】
陰極線管と、
前記陰極線管における電子ビームを水平方向に往復偏向させるための往復偏向回路と、
前記陰極線管における電子ビームを垂直方向に偏向させるための垂直偏向回路とを含み、
前記往復偏向回路は、
インダクタンス成分および抵抗成分を有する水平偏向コイルと、
前記水平偏向コイルに水平走査周期の２倍の周期で変化する水平偏向電流を供給する水平偏向電流供給手段と、
前記水平偏向コイルの抵抗成分を打ち消すための負性抵抗成分を発生する負性抵抗成分発生手段と、
垂直有効走査期間において前記負性抵抗成分発生手段を有効にし、垂直帰線期間において前記負性抵抗成分発生手段を無効にする切り替え手段とを備えたことを特徴とする映像表示装置。
【発明の詳細な説明】
【０００１】
【発明の属する技術分野】
本発明は、表示画面の水平方向において電子ビームを往復走査するための往復偏向回路およびそれを備えた映像表示装置に関する。
【０００２】
【従来の技術】
陰極線管（以下、ＣＲＴという）ディスプレイ装置等の映像表示装置の分野では、高精細画像の表示に適した往復偏向回路の使用が提案されている。この往復偏向回路は、水平偏向コイルを用いて電子ビームを往復走査するための装置である。往復偏向回路は、水平偏向コイルが等価的にインダクタンス成分とそれに直列に接続された抵抗成分とを有しているため、垂直に一列に並ぶべき画素が往路の走査と復路の走査との間で水平方向にずれる場合がある。
【０００３】
図７は、水平偏向コイルに流れる水平偏向電流の経時変化を説明するための図である。また、図８は、図７に示す水平偏向電流の電流波形に対応した表示画面の状態を説明するための図である。なお、図８において、水平方向をｘ座標と呼び、垂直方向をｙ座標と呼ぶ。
【０００４】
図７（ａ）には、水平偏向電流の理想的な電流波形が示されている。図７（ａ）に示す状態においては、電子ビームの往路の走査期間Ｔ１の長さと復路の走査期間Ｔ２の長さとが一致し、往路走査および復路走査で電流が０になる時点ｔ１，ｔ２がそれぞれ走査期間Ｔ１，Ｔ２の中間点と一致している。そのため、図８（ａ）に示すように、垂直に一列に並ぶべき画素が往路走査および復路走査において同一ｘ座標上に表示される。例えば、往路走査および復路走査において、それぞれ、図８（ａ）の画面水平方向の中央の画素ｅ１，ｅ２の表示位置が同一ｘ座標上にくる。
【０００５】
図７（ｂ）には、水平偏向コイルの抵抗成分による歪みを有する電流波形が示されている。図７（ｂ）に示す状態においては、往路の走査期間Ｔ３の長さと復路の走査期間Ｔ４の長さとが一致しているが、往路および復路の走査期間Ｔ３，Ｔ４の中間点ｔ４，ｔ６と水平偏向電流が０になる時点ｔ３，ｔ５とは一致しない。そのため、図８（ｂ）に示すように、垂直に一列に並ぶべき画素が往路走査および復路走査においてジグザグにずれるジグザグ状縦線障害を生じる。例えば、往路走査および復路走査において、それぞれ、図８（ｂ）の画面水平方向の中央の画素ｅ１，ｅ２の表示位置のｘ座標が異なる。
【０００６】
図９は、水平偏向電流の歪みを低減してジグザグ状縦線障害を防止するための構成を等価回路で示した回路図である。この回路は、双方向水平偏向システムで用いられている（特許文献１参照）。
【０００７】
図９において、水平偏向コイル２１２および負抵抗２１８は互いに直列に接続されている。この負抵抗２１８は水平偏向コイル２１２の抵抗成分ＲＨを打ち消す。
【０００８】
図１０は、図９の等価回路９２０の動作を説明するための波形図である。図１０（ａ）に示すように、入力端子２１４に印加される電圧Ｖ１は方形波である。水平偏向コイル２１２のインダクタンス成分ＬＨが大きいので、出力端子２１６に流れる水平偏向電流は三角波になる。負抵抗２１８が発生する電圧ＶＲの波形は、図１０（ｃ）に示すように図１０（ｂ）に示す三角波に対し９０°位相がずれている。この負抵抗２１８で発生される電圧ＶＲによって抵抗成分ＲＨに発生する電圧が打ち消されるため、図９の等価回路９２０に流れる水平偏向電流は、見かけ上抵抗による損失がないので歪まない。
【０００９】
しかしながら、図９の等価回路９２０を用いた場合においても、例えば、垂直帰線期間に発生する外乱の影響により図７（ａ）に示す水平偏向電流の理想的な電流波形を継続して得ることはできない。
【００１０】
図１１は、水平偏向電流への外乱の影響を説明する図である。図９において、図９の入力端子２１４に図１１（ａ）のパルス電圧Ｖ１が印加されると図９の水平偏向コイル２１２には図１１（ｂ）に示す理想的な水平偏向電流Ａ１が流れる。
【００１１】
ここで、図９の水平偏向コイル２１２が垂直帰線期間に発生する外乱の影響を受けた場合、垂直有効走査期間および垂直帰線期間からなる垂直走査期間ＶＴ毎に図１１（ｃ）に示す外乱電圧Ｖ２が発生する。そして、図９の水平偏向コイル２１２に流れる電流は、外乱電圧Ｖ２の影響を受けることにより乱れを生じる。この場合、水平偏向コイル９５に流れる水平偏向電流をＡ２とすると、水平偏向電流Ａ２は、例えば、図１１（ｄ）に示す波形を呈する。
【００１２】
これにより、水平偏向コイル９５を流れる水平偏向電流の乱れは変動成分Ａ２−Ａ１として表される。図１１（ｅ）に水平偏向電流の変動成分Ａ２−Ａ１の例を示す。図１１（ｅ）によれば、電流の乱れは、外乱電圧Ｖ２の発生とともに垂直走査期間ＶＴ毎に発生している。
【００１３】
ここで、本発明者は、上記に示すような外乱電圧による水平偏向電流の変動成分を十分に低減すべく振幅補正回路を案出した（特許文献２参照）。
【００１４】
図１２は、外乱電圧による水平偏向電流の変動成分を十分に低減可能な振幅補正回路の一例を示す模式図である。図１３は、外乱により発生する水平偏向電流の変動成分の低減方法を説明する図である。
【００１５】
図１２によれば、振幅補正回路９００は、矩形電圧発生回路９０１、電源電圧変調回路９０２、パルス発生回路９０３および図９の等価回路９２０を含む。
【００１６】
図１２の振幅補正回路９００において、パルス発生回路９０３は垂直走査期間ＶＴ毎に図１３（ａ）に示すパルス電圧Ｓ１を発生し、電源電圧変調回路９０２に出力する。
【００１７】
電源電圧変調回路９０２には、パルス電圧Ｓ１とともに電圧ＶＸが入力される。電源電圧変調回路９０２においては、パルス電圧Ｓ１に基づく電圧ＶＸの電圧変調が行われ、電圧変調により得られた制御電圧ＶＣが矩形電圧発生回路９０１に出力される。制御電圧ＶＣの電圧波形は図１３（ｂ）に示す通りである。
【００１８】
矩形電圧発生回路９０１においては、入力された制御電圧ＶＣに基づいてパルス電圧Ｖ１が生成され、生成されたパルス電圧Ｖ１が図９の等価回路９２０に出力される。
【００１９】
図９の入力端子２１４に図１３（ｃ）に示すパルス電圧Ｖ１が印加されると、外乱電圧Ｖ２が発生する垂直走査期間ＶＴ毎に電流の変動成分の低減が行われ、図１３（ｄ）に示す理想的な電流波形Ａ１を継続して得ることができる。
【００２０】
【特許文献１】
特開平７−２０３２３８号公報
【特許文献２】
特開２００１−３６３４７号公報
【００２１】
【発明が解決しようとする課題】
上記に示す振幅補正回路９００によれば、電流の振幅変動の補正は、外乱電圧Ｖ２に対応するパルス電圧Ｓ１により行われている。このため、振幅補正回路９００には、パルス発生回路９０３が必要であり複雑な構成となっている。
【００２２】
また、振幅補正回路９００において、パルス電圧Ｓ１は外乱電圧Ｖ２に同期させる必要があり、外乱電圧Ｖ２による電流の振幅変動成分が最小となるようにパルス電圧Ｓ１を調整して決定する必要がある。パルス電圧Ｓ１は、外乱に対する電流の振幅変動成分を測定装置を用いて測定することにより調整される。このため、振幅補正回路９００の製作時においてはパルス電圧Ｓ１を決定する工程が必要となる。
【００２３】
本発明の目的は、水平偏向コイルの抵抗成分による水平偏向電流の歪みが防止されるとともに、無調整かつ容易な構成で垂直帰線期間における外乱による水平偏向電流の振幅変動成分を十分に抑制可能な往復偏向回路およびそれを備えた映像表示装置を提供することである。
【００２４】
【課題を解決するための手段】
本発明に係る往復偏向回路は、電子ビームを水平方向に往復偏向させるための往復偏向回路であって、インダクタンス成分および抵抗成分を有する水平偏向コイルと、水平偏向コイルに水平走査周期の２倍の周期で変化する水平偏向電流を供給する水平偏向電流供給手段と、水平偏向コイルの抵抗成分を打ち消すための負性抵抗成分を発生する負性抵抗成分発生手段と、垂直有効走査期間において負性抵抗成分発生手段を有効にし、垂直帰線期間において負性抵抗成分発生手段を無効にする切り替え手段とを備えるものである。
【００２５】
本発明に係る往復偏向回路においては、水平偏向電流供給手段により水平偏向コイルに対し水平走査周期の２倍の周期で変化する水平偏向電流が供給され、水平偏向磁界が発生されることにより電子ビームが水平方向に往復偏向される。一方、負性抵抗成分発生手段により水平偏向コイルの抵抗成分を打ち消すための負性抵抗成分が発生される。負性抵抗成分発生手段は、切り替え手段により垂直有効走査期間に有効にされ、垂直帰線期間に無効にされる。
【００２６】
それにより、垂直有効走査期間においては、水平偏向コイルの抵抗成分が負性抵抗成分により打ち消される。したがって、水平偏向コイルの抵抗成分により水平偏向電流に歪みが発生することが防止され、垂直に一列に並ぶべき画素が往路走査および復路走査においてジグザグにずれるジグザグ状縦線障害の発生が防止される。
【００２７】
一方、垂直帰線期間においては、水平偏向コイルの抵抗成分が負性抵抗成分により打ち消されない。これにより、水平偏向コイルの抵抗成分のダンピング効果により垂直帰線期間における外乱により発生する外乱電圧が抑制され、水平偏向電流の振幅変動が防止される。その結果、外乱による映像の歪みが防止される。
【００２８】
また、切り替え手段により負性抵抗成分発生手段を有効および無効に切り替えることにより、無調整かつ容易な構成で垂直帰線期間における外乱による水平偏向電流の振幅変動成分を十分に低減することができる。
【００２９】
負性抵抗成分発生手段は、水平偏向コイルの抵抗成分により水平偏向電流に生ずる歪成分を打ち消すように水平偏向電流を補正することにより等価的に負性抵抗成分を発生する歪補正手段を含んでもよい。
【００３０】
この場合、垂直有効走査期間において、水平偏向コイルの抵抗成分により水平偏向電流に生ずる歪成分を打ち消すように水平偏向電流が補正される。
【００３１】
歪補正手段は、往路および復路の走査において画面の中心位置を走査すべきタイミングを検出する第１のタイミング検出手段と、水平偏向コイルに流れる水平偏向電流の値が０となるタイミングを検出する第２のタイミング検出手段と、第１のタイミング検出手段により検出されたタイミングと第２のタイミング検出手段により検出されたタイミングとが一致するように水平偏向電流を補正する電流補正手段とを含んでもよい。
【００３２】
この場合、歪補正手段においては、第１のタイミング検出手段により往路および復路の走査において画面の中心位置を走査すべきタイミングが検出され、第２のタイミング検出手段により水平偏向コイルに流れる水平偏向電流の値が０となるタイミングが検出され、第１のタイミング検出手段が検出したタイミングと第２のタイミング検出手段が検出したタイミングとが一致するように電流補正手段により水平偏向電流が補正される。これにより、垂直有効走査期間において、水平偏向コイルの抵抗成分による水平偏向電流の歪みが防止される。
【００３３】
水平偏向コイルの一端は、水平偏向電流供給手段に接続され、第１のタイミング検出手段は、水平同期信号に基づいて画面の中心位置を走査すべきタイミングを示す第１のタイミング信号を発生する第１の信号発生手段を含み、第２のタイミング検出手段は、水平偏向コイルに流れる水平偏向電流の値が０となるタイミングを示す第２のタイミング信号を発生する第２の信号発生手段とを含み、電流補正手段は、第１の信号発生手段により発生された第１のタイミング信号の位相と第２の信号発生手段により発生された第２のタイミング信号の位相とを比較し、位相差を示す位相差信号を出力する位相比較手段と、位相比較手段により出力される位相差信号に基づいて水平偏向コイルの他端の電位を制御する電位制御手段とを含んでもよい。
【００３４】
この場合、第１のタイミング検出手段においては、第１の信号発生手段により水平同期信号に基づいて画面の中心位置を走査すべきタイミングを示す第１のタイミング信号が発生され、第２のタイミング検出手段においては、第２の信号発生手段により水平偏向コイルに流れる水平偏向電流の値が０となるタイミングを示す第２のタイミング信号が発生される。そして、電流補正手段においては、位相比較手段により、第１の信号発生手段が発生した第１のタイミング信号の位相と第２の信号発生手段が発生した第２のタイミング信号の位相とが比較され、位相差を示す位相差信号が出力される。また、電位制御手段により位相比較手段から出力される位相差信号に基づいて水平偏向コイルの他端の電位が制御される。この結果、水平偏向電流供給手段により水平偏向コイルの一端から供給される水平偏向電流に生ずる歪成分が補正される。
【００３５】
本発明に係る映像表示装置は、陰極線管と、陰極線管における電子ビームを水平方向に往復偏向させるための往復偏向回路と、陰極線管における電子ビームを垂直方向に往復偏向させるための垂直偏向回路とを含み、往復偏向回路は、インダクタンス成分および抵抗成分を有する水平偏向コイルと、水平偏向コイルに水平走査周期の２倍の周期で変化する水平偏向電流を供給する水平偏向電流供給手段と、水平偏向コイルの抵抗成分を打ち消すための負性抵抗成分を発生する負性抵抗成分発生手段と、垂直有効走査期間において負性抵抗成分発生手段を有効にし、垂直帰線期間において負性抵抗成分発生手段を無効にする切り替え手段とを備えたものである。
【００３６】
本発明に係る映像表示装置においては、陰極線管における電子ビームが、往復偏向回路により水平方向に往復偏向され、垂直偏向回路により垂直方向に往復偏向される。往復偏向回路においては、水平偏向電流供給手段により水平偏向コイルに対し水平走査周期の２倍の周期で変化する水平偏向電流が供給され、水平偏向磁界が発生されることにより電子ビームが水平方向に往復偏向される。一方、負性抵抗成分発生手段により水平偏向コイルの抵抗成分を打ち消すための負性抵抗成分が発生される。負性抵抗成分発生手段は、切り替え手段により垂直有効走査期間に有効にされ、垂直帰線期間に無効にされる。
【００３７】
それにより、垂直有効走査期間においては、水平偏向コイルの抵抗成分が負性抵抗成分により打ち消される。したがって、水平偏向コイルの抵抗成分により水平偏向電流に歪みが発生することが防止され、垂直に一列に並ぶべき画素が往路走査および復路走査においてジグザグにずれるジグザグ状縦線障害の発生が防止される。
【００３８】
一方、垂直帰線期間においては、水平偏向コイルの抵抗成分が負性抵抗成分により打ち消されない。これにより、水平偏向コイルの抵抗成分のダンピング効果により垂直帰線期間における外乱により発生する外乱電圧が抑制され、水平偏向電流の振幅変動が防止される。その結果、外乱による映像の歪みが防止される。
【００３９】
また、切り替え手段により負性抵抗成分発生手段を有効および無効に切り替えることにより、無調整かつ容易な構成で垂直帰線期間における外乱による水平偏向電流の振幅変動成分を十分に低減することができる。
【００４０】
【発明の実施の形態】
以下、図１〜図６に基づいて本実施の形態に係る往復偏向回路およびそれを備えた映像表示装置について説明する。
【００４１】
図１は本実施の形態に係る映像表示装置の構成を示すブロック図である。
図１の映像表示装置１００は、映像信号処理回路１、色信号処理回路２、同期信号分離回路３、垂直偏向回路５、水平偏向回路６および陰極線管（以下ＣＲＴと呼ぶ。）７を含む。ＣＲＴ７には、垂直偏向回路５の垂直偏向コイル５０および水平偏向回路６の水平偏向コイル６０が取り付けられている。
【００４２】
図１の映像信号処理回路１および同期信号分離回路３には、映像信号ＴＶが与えられる。
【００４３】
同期信号分離回路３は、与えられた映像信号ＴＶから垂直同期信号ＶＳおよび水平同期信号ＨＳを分離する。そして、同期信号分離回路３は、分離した垂直同期信号ＶＳを映像信号処理回路１、垂直偏向回路５および水平偏向回路６へ与え、分離した水平同期信号ＨＳを映像信号処理回路１および水平偏向回路６へ与える。
【００４４】
映像信号処理回路１は、同期信号分離回路３より与えられる垂直同期信号ＶＳおよび水平同期信号ＨＳに応答して、与えられた映像信号ＴＶより色差信号（Ｉ，Ｑ）および輝度信号Ｙを抽出し、色信号処理回路２へ与える。色信号処理回路２は、色差信号（Ｉ，Ｑ）および輝度信号Ｙに基づき原色信号ＤＳを再生し、ＣＲＴ７へ出力する。
【００４５】
垂直偏向回路５は、同期信号分離回路３より与えられる垂直同期信号ＶＳを用いてＣＲＴ７に取り付けられた垂直偏向コイル５０に垂直偏向電流を与える。
【００４６】
水平偏向回路６は、同期信号分離回路３より与えられる垂直同期信号ＶＳおよび水平同期信号ＨＳを用いてＣＲＴ７に取り付けられた水平偏向コイル６０に水平偏向電流を与える。水平偏向電流は、水平走査周期の２倍の周期を有する略三角形状ののこぎり波形を有する。
【００４７】
ＣＲＴ７においては、垂直偏向回路５の垂直偏向コイル５０および水平偏向回路６の水平偏向コイル６０の働きにより電子ビームが走査され、色信号処理回路２より与えられる原色信号ＤＳに基づく映像が表示される。
【００４８】
次いで、本発明の実施の形態に係る水平偏向回路６について説明する。図２は、本実施の形態に係る水平偏向回路の動作を説明するための回路図である。図３は、図２の水平偏向回路の動作を示す波形図である。
【００４９】
図２において、水平偏向回路６は、電圧発生回路２０、水平偏向コイル６０、振幅変動補正回路７０およびスイッチング回路８０を含む。電圧発生回路２０には、水平同期信号ＨＳに基づいて生成された往復タイミングパルスＳＤが入力される。電圧発生回路２０は、入力された往復タイミングパルスＳＤに基づいて、図３（ａ）に示す矩形電圧Ｖ１を発生し、水平偏向コイル６０に与える。
【００５０】
水平偏向コイル６０は、インダクタンス成分ＬＨおよび抵抗成分ＲＨを有する。水平偏向コイル６０には、矩形電圧Ｖ１が印加されることにより水平偏向電流が流れる。これにより、水平偏向コイル６０において水平偏向磁界が発生し、電子ビームが水平方向に偏向される。この場合、抵抗成分ＲＨにより水平偏向コイル６０を流れる水平偏向電流には歪みが生じる。図３（ｂ）に理想的な水平偏向電流Ａ１の電流波形を示し、図３（ｃ）に抵抗成分ＲＨの影響を受けた場合の水平偏向電流Ａａの電流波形を示す。
【００５１】
スイッチング回路８０は、垂直有効走査期間に水平偏向コイル６０を振幅変動補正回路７０に接続し、垂直帰線期間に水平偏向コイル６０を接地する働きを有する。振幅変動補正回路７０においては、水平偏向コイル６０との接続時に抵抗成分ＲＨを打ち消す負性抵抗成分が発生する。ここで、垂直有効走査期間とは、画面の垂直方向における映像表示期間である。すなわち、１垂直走査期間は垂直有効走査期間および垂直帰線期間により構成される。
【００５２】
また、負性抵抗成分とは、抵抗成分ＲＨと絶対値が等しく極性が異なる成分をいう。
【００５３】
まず、スイッチング回路８０が水平偏向コイル６０と振幅変動補正回路７０とを接続している場合の水平偏向回路６の動作について説明する。
【００５４】
水平偏向コイル６０と振幅変動補正回路７０との接続時において、水平偏向コイル６０の抵抗成分ＲＨにより発生する電圧は、振幅変動補正回路７０における負性抵抗成分により発生する電圧ＶＲにより打ち消される。これにより、水平偏向コイル６０に流れる水平偏向電流は、見かけ上抵抗による損失がないので歪まない。この場合の水平偏向電流の電流波形は、図３（ｂ）に示す通りである。
【００５５】
ところで、水平偏向コイル６０においては、垂直帰線期間に発生する外乱ＧＶの影響により水平偏向電流が変動する。図３（ｄ）に垂直帰線期間ＲＴに外乱ＧＶにより発生する外乱電圧Ｖ２を示す。本例では、垂直帰線期間ＲＴに発生する外乱ＧＶは、垂直偏向電流の垂直帰線期間に発生するフライバックパルスである。また、外乱電圧Ｖ２はフライバックパルスにより水平偏向コイル６０に発生する電圧である。
【００５６】
ここで、水平偏向コイル６０と振幅変動補正回路７０とが常に接続されていると仮定すると、水平偏向コイル６０には図３（ｅ）に示す水平偏向電流Ａ２が流れる。水平偏向電流Ａ２には、垂直有効走査期間ＳＴおよび垂直帰線期間ＲＴからなる垂直走査期間ＶＴ毎に外乱電圧Ｖ２の影響による乱れが生じている。図３（ｆ）に外乱電圧Ｖ２の影響による水平偏向電流の変動成分Ａ２−Ａ１の波形を示す。水平偏向電流の変動成分Ａ２−Ａ１は、垂直帰線期間ＲＴの直後で最も大きく、徐々に減少する。
【００５７】
本実施の形態において、水平偏向コイル６０は、スイッチング回路８０の動作により垂直帰線期間ＲＴにおいて振幅変動補正回路７０を介さずに直接接地される。この場合、水平偏向コイル６０には、垂直帰線期間ＲＴに矩形電圧Ｖ１および外乱電圧Ｖ２が印加される。これにより、垂直帰線期間ＲＴにおいては、水平偏向コイル６０の抵抗成分がダンピング抵抗の役割を果たすので、外乱電圧Ｖ２により生じる水平偏向電流の変動が抑制される。
【００５８】
したがって、本実施の形態に係る水平偏向回路６によれば、垂直有効走査期間ＳＴおよび垂直帰線期間ＲＴともに継続して理想的な水平偏向電流Ａ１を得ることができる。
【００５９】
続いて、本発明の実施の形態に係る水平偏向回路６の具体的な構成例および動作について図４に基づき説明する。図４は、本実施の形態に係る水平偏向回路６の具体的な構成例を示す回路図である。
【００６０】
図４の水平偏向回路６は、パルス生成回路１０、電圧発生回路２０、共振コンデンサ２５、カレントトランス３０、垂直走査期間検出回路４０、水平偏向コイル６０、振幅変動補正回路７０およびスイッチング回路８０から構成される。
【００６１】
電圧発生回路２０は、位相比較器２１、ローパスフィルタ（以下、ＬＰＦと略記する。）回路２２、パルス幅制御部２３、スイッチング回路２４およびコンパレータ２６を備える。ここで、電圧発生回路２０のスイッチング回路２４は、トランジスタ２４ａ，２４ｂおよびダイオード（整流素子）２４ｃ，２４ｄを備える。
【００６２】
カレントトランス３０は、１次側コイルＰおよび２次側コイルＳを含む。水平偏向コイル６０は、インダクタンス成分ＬＨおよび抵抗成分ＲＨを有する。
【００６３】
振幅変動補正回路７０は、コンパレータ７１、位相比較器７２、ＬＰＦ回路７３、減衰器７４、パワーアンプ７５および抵抗７６から構成される。ここで、振幅変動補正回路７０のパワーアンプ７５は、オペアンプ７５ｂおよび抵抗７５ａ，７５ｃから構成される。スイッチング回路８０は、トランジスタ８１，８２を備える。
【００６４】
パルス生成回路１０には図１の同期信号分離回路３より水平同期信号ＨＳが与えられる。パルス生成回路１０は、入力された水平同期信号ＨＳより電子ビームを水平方向に往復偏向させるためのタイミングおよび偏向方向を示す往復タイミングパルスＳＤならびに表示画面上における電子ビームの理想的な中心位置を示すラインセンターパルスＬＣを生成する。パルス生成回路１０は、生成した往復タイミングパルスＳＤを電圧発生回路２０に与え、生成したラインセンターパルスＬＣを振幅変動補正回路７０に与える。
【００６５】
一方、垂直走査期間検出回路４０には図１の同期信号分離回路３より垂直同期信号ＶＳが与えられる。垂直走査期間検出回路４０は、垂直同期信号ＶＳに応答して垂直帰線期間ＲＴおよび垂直有効走査期間ＳＴを検出し、垂直有効走査期間ＳＴに振幅変動補正回路７０を有効にするためのパルス信号ＶＳ１をスイッチング回路８０に与え、垂直帰線期間ＲＴに振幅変動補正回路７０を無効にするためのパルス信号ＶＳ２をスイッチング回路８０に与える。
【００６６】
ここで、電圧発生回路２０の動作について図４および図５に基づき説明する。図５は、電圧発生回路２０の内部で発生する各種信号および電流の例を示す波形図である。図５においては、往路および復路の切替タイミングが一点鎖線Ｔｉにより示されている。
【００６７】
電圧発生回路２０において、パルス生成回路１０より与えられた往復タイミングパルスＳＤは位相比較器２１に入力される。図５（ａ）に位相比較器２１に入力される往復タイミングパルスＳＤの波形の一例を示す。図５（ａ）によれば、例えば、往復タイミングパルスＳＤは、論理ハイのときに電子ビームを往方向（画面の左から右の方向）に偏向することを示し、論理ローのときに電子ビームを復方向（画面の右から左の方向）に偏向することを示す。そして、電圧発生回路２０の内部では、往復タイミングパルスＳＤに基づいて、以下に示すように、水平偏向電流のフィードバック制御が行われる。
【００６８】
パルス幅制御部２３においては、後述の制御電圧ＰＶの電圧のレベルに基づいてパルス信号ＴＳ，ＲＳが生成される。パルス信号ＴＳ，ＲＳは、図５（ｂ），（ｃ）に示すように、互いに逆位相となっている。パルス幅制御部２３は、生成したパルス信号ＴＳ，ＲＳをスイッチング回路２４に与える。
【００６９】
スイッチング回路２４においては、トランジスタ２４ａのベースにパルス幅制御部２３からのパルス信号ＴＳが与えられ、コレクタは電源端子２４ｅに接続され、エミッタはノードＮ１に接続されている。また、トランジスタ２４ｂのベースにパルス幅制御部２３からのパルス信号ＲＳが与えられ、コレクタはノードＮ１に接続され、エミッタは接地端子に接続されている。ダイオード２４ｃのアノードはノードＮ１に接続され、カソードは電源端子２４ｅに接続されている。ダイオード２４ｄのアノードは接地端子に接続され、カソードはノードＮ１に接続されている。
【００７０】
パルス信号ＴＳが論理ハイになり、パルス信号ＲＳが論理ローになると、トランジスタ２４ａがオンし、トランジスタ２４ｂがオフする。それにより、電源端子２４ｅからトランジスタ２４ａを通して共振コンデンサ６１または調整コンデンサ８２に電流が流れる。パルス信号ＴＳが論理ローになり、パルス信号ＲＳが論理ハイになると、トランジスタ２４ａがオフし、トランジスタ２４ｂがオンする。それにより、共振コンデンサ６１または調整コンデンサ８２からトランジスタ２４ｂを通して接地端子に電流が流れる。このようにして、図５（ｄ）に示すように、水平偏向コイル６０に水平偏向電流ＡＬが流れる。このとき、ノードＮ１には矩形電圧が発生する。この場合の水平偏向電流ＡＬは往復タイミングにずれを生じている。
【００７１】
一方、コンパレータ２６には、ノードＮ１に発生する矩形電圧および基準電圧Ｖｒｅｆが入力されている。
【００７２】
コンパレータ２６は、ノードＮ１の矩形電圧と基準電圧Ｖｒｅｆとを比較する。例えば、コンパレータ２６は、ノードＮ１の矩形電圧が基準電圧Ｖｒｅｆより高い場合に論理ハイの位相比較パルスＣＤを位相比較器２１に出力し、矩形電圧が基準電圧Ｖｒｅｆよりも低い場合に論理ローの位相比較パルスＣＤを位相比較器２１に出力する。図５（ｅ）に、コンパレータ２６から出力される位相比較パルスＣＤの波形の一例を示す。
【００７３】
位相比較器２１は、パルス生成回路１０より与えられる往復タイミングパルスＳＤとコンパレータ２６より与えられる位相比較パルスＣＤとの位相比較を行う。この位相比較は、往復タイミングパルスＳＤおよび位相比較パルスＣＤのそれぞれの立ち上がりタイミングまたは立下りタイミングに基づき行われる。位相比較により得られた位相差成分は位相差信号ＰＤとしてＬＰＦ回路２２へ出力される。図５（ｆ）に、位相比較器２１により出力される位相差信号ＰＤの波形の一例を示す。
【００７４】
ＬＰＦ回路２２は、入力される位相差信号ＰＤを積分し、制御電圧ＰＶを生成する。図５（ｇ）に、ＬＰＦ回路２２により生成される制御電圧ＰＶの一例を示す。パルス幅制御部２３は、制御電圧ＰＶに基づいて、上記のパルス信号ＴＳ，ＲＳを発生する。
【００７５】
このようにして、図５（ｈ）に示すように水平偏向電流ＡＬの往路および復路の切替タイミングが正確に制御される。
【００７６】
続いて、スイッチング回路８０および振幅変動補正回路７０の動作について図４および図６に基づき説明する。
【００７７】
図６は、本実施の形態に係る振幅振動補正回路７０により発生する各種信号および電流の例を示す波形図である。図６においては、往路および復路の切替タイミングが一点鎖線Ｔｉにより示されている。
【００７８】
図４のスイッチング回路８０において、トランジスタ８１には、図３に示す垂直有効走査期間ＳＴに論理ハイのパルス信号ＶＳ１が与えられ、図３に示す垂直帰線期間ＲＴに論理ローのパルス信号ＶＳ１が与えられる。また、トランジスタ８２には、垂直有効走査期間ＳＴに論理ローのパルス信号ＶＳ２が与えられ、垂直帰線期間ＲＴに論理ハイのパルス信号ＶＳ２が与えられる。
【００７９】
トランジスタ８１のベースには垂直走査期間検出回路４０からパルス信号ＶＳ１が与えられ、コレクタは減衰器７４の入力端子に接続され、エミッタはノードＶ７に接続されている。また、トランジスタ８２のベースには垂直走査期間検出回路４０からパルス信号ＶＳ２が与えられ、コレクタは減衰器７４の入力端子に接続され、エミッタは接地端子に接続されている。
【００８０】
パルス信号ＶＳ１が論理ハイになり、パルス信号ＶＳ２が論理ローになると、トランジスタ８１がオンし、トランジスタ８２がオフする。それにより、減衰器７４の入力端子がノードＶ７に接続される。パルス信号ＶＳ１が論理ローになり、パルス信号ＶＳ２が論理ハイになると、トランジスタ８１がオフし、トランジスタ８２がオンする。それにより、減衰器７４の入力端子が接地端子に接続される。
【００８１】
このように、スイッチング回路８０のトランジスタ８１，８２は、垂直有効走査期間ＳＴに減衰器７４の入力端子をノードＶ７に接続し、垂直帰線期間ＲＴに減衰器７４の入力端子を接地端子に接続する。
【００８２】
パルス生成回路１０より与えられたラインセンターパルスＬＣは位相比較器７２に入力される。位相比較器７２に入力されるラインセンターパルスＬＣの波形の一例を図６（ａ）に示す。図６（ａ）において、ラインセンターパルスＬＣは、その立上りタイミングおよび立下りタイミングにより往路の走査および復路の走査における理想的な中心タイミングを示す。
【００８３】
一方、水平偏向コイル６０に直列にカレントトランス３０の一次巻線Ｐが接続されている。二次巻線Ｓの一端は接地端子に接続され、他端はノードＶ７に接続されている。ノードＶ７は抵抗７６を介して接地端子に接続されている。カレントトランス３０の一次巻線Ｐには図５（ｈ）に示す水平偏向電流ＡＬが流れ、二次巻線Ｓには水平偏向電流ＡＬに基づく二次電流が流れる。図６（ｂ）に、二次巻線Ｓに流れる二次電流ＡＬ２の波形の一例を示す。
【００８４】
二次電流ＡＬ２が抵抗７６を流れることによりノードＶ７に電圧が発生する。ノードＶ７の電圧はコンパレータ７１および上述のトランジスタ８１のエミッタに供給される。
【００８５】
コンパレータ７１は、ノードＶ７の電圧と接地電位とを比較し、ゼロクロスパルスＣＤ２を出力する。例えば、コンパレータ７１は、ノードＶ７の電圧が接地電位より高い場合に論理ハイのゼロクロスパルスＣＤ２を位相比較器７２に出力し、ノードＶ７の電圧が接地電位より低い場合に論理ローのゼロクロスパルスＣＤ２を位相比較器７２に出力する。図６（ｃ）にコンパレータ７１から出力されるゼロクロスパルスＣＤ２の波形の一例を示す。ゼロクロスパルスＣＤ２の立ち上がりタイミングおよび立ち下がりタイミングは、水平偏向電流ＡＬが電流値０のレベルを交差するタイミング（ゼロクロス点）に相当する。
【００８６】
位相比較器７２は、パルス生成回路１０より与えられるラインセンターパルスＬＣとコンパレータ７１より与えられるゼロクロスパルスＣＤ２との位相比較を行う。この位相比較は、ラインセンターパルスＬＣおよびゼロクロスパルスＣＤ２のそれぞれの立上りタイミングおよび立下りタイミングに基づき行われる。位相比較により得られた位相差成分は位相差信号ＰＤ２としてＬＰＦ回路７３へ出力される。図６（ｄ）に、位相比較器７２により出力される位相差信号ＰＤ２の波形の一例を示す。
【００８７】
ＬＰＦ回路７３は、入力される位相差信号ＰＤ２を積分し、制御電圧ＰＶ２を生成する。ＬＰＦ回路７３により生成された制御電圧ＰＶ２は減衰器７４へ与えられる。図６（ｅ）に、ＬＰＦ回路７３により生成される制御電圧ＰＶ２の波形の一例を示す。
【００８８】
ここで、垂直有効走査期間ＳＴおよび垂直帰線期間ＲＴにおける減衰器７４およびパワーアンプ７５の動作について説明する。
【００８９】
垂直有効走査期間ＳＴにおいては、トランジスタ８１がオンし、減衰器７４の入力端子には、ノードＶ７の電圧が与えられる。減衰器７４は、ノードＶ７の電圧を制御電圧ＰＶ２に基づいて減衰させ、減衰された電圧を振幅変動補正信号としてパワーアンプ７５に与える。
【００９０】
パワーアンプ７５は、減衰器７４より与えられる振幅変動補正信号を反転増幅し、一次巻線Ｐの一端のノードＶ８に与える。それにより、ノードＶ８の電圧が上昇し、水平偏向電流ＡＬが減少する。その結果、一次巻線Ｐに流れる水平偏向電流ＡＬが図６（ｆ）に示すように補正される。このようにして、水平偏向コイル６０には、抵抗成分ＲＨによる歪みがない理想的な水平偏向電流ＡＬが流れることとなる。すなわち、振幅補正回路７０は、図２の負性抵抗成分として機能する。
【００９１】
一方、垂直帰線期間ＲＴにおいては、トランジスタ８２がオンし、減衰器７４の入力端子が接地される。これにより、減衰器７４の入力端子に接地電位が与えられ、減衰器７４の出力電圧は０となる。その結果、ノードＶ８の電圧が０となる。この場合、垂直帰線期間ＲＴに発生する外乱ＧＶによる外乱電圧が、水平偏向コイル６０の抵抗成分ＲＨのダンピング効果により抑制される。
【００９２】
以上より、本実施の形態に係る水平偏向回路６は、無調整かつ容易な構成で垂直帰線期間ＲＴにおいて外乱ＧＶにより発生する電流の振幅変動成分を十分に軽減可能である。また、垂直有効走査期間ＳＴにおいて、水平偏向回路６は、振幅補正回路７０による負性抵抗成分の発生によりジグザグ縦線障害が防止可能である。
【００９３】
本実施の形態において、水平偏向回路６が往復偏向回路に相当し、電圧発生回路２０が水平偏向電流供給手段に相当し、振幅変動補正回路７０が負性抵抗成分発生手段に相当し、スイッチング回路８０が切り替え手段に相当する。また、パルス生成回路１０および振幅変動補正回路７０が歪補正手段に相当し、パルス生成回路１０が第１のタイミング検出手段に相当し、コンパレータ７１が第２のタイミング検出手段に相当し、位相比較器７２、ＬＰＦ回路７３、減衰器７４、パワーアンプ７５および抵抗７６が電流補正手段に相当する。さらに、ラインセンターパルスＬＣが第１のタイミング信号に相当し、パルス生成回路１０が第１の信号発生手段に相当し、往復タイミングパルスＳＤが第２のタイミング信号に相当し、コンパレータ７１が第２の信号発生手段に相当し、パワーアンプ７５が電位制御手段に相当する。
【００９４】
【発明の効果】
本発明に係る往復偏向回路においては、水平偏向電流供給手段により水平偏向コイルに対し水平走査周期の２倍の周期で変化する水平偏向電流が供給され、水平偏向磁界が発生されることにより電子ビームが水平方向に往復偏向される。一方、負性抵抗成分発生手段により水平偏向コイルの抵抗成分を打ち消すための負性抵抗成分が発生される。負性抵抗成分発生手段は、切り替え手段により垂直有効走査期間に有効にされ、垂直帰線期間に無効にされる。
【００９５】
それにより、垂直有効走査期間においては、水平偏向コイルの抵抗成分が負性抵抗成分により打ち消される。したがって、水平偏向コイルの抵抗成分により水平偏向電流に歪みが発生することが防止され、垂直に一列に並ぶべき画素が往路走査および復路走査においてジグザグにずれるジグザグ状縦線障害の発生が防止される。
【００９６】
一方、垂直帰線期間においては、水平偏向コイルの抵抗成分が負性抵抗成分により打ち消されない。これにより、水平偏向コイルの抵抗成分のダンピング効果により垂直帰線期間における外乱により発生する外乱電圧が抑制され、水平偏向電流の振幅変動が防止される。その結果、外乱による映像の歪みが防止される。
【００９７】
また、切り替え手段により負性抵抗成分発生手段を有効および無効に切り替えることにより、無調整かつ容易な構成で垂直帰線期間における外乱による水平偏向電流の振幅変動成分を十分に低減することができる。
【図面の簡単な説明】
【図１】本実施の形態に係る映像表示装置の構成を示すブロック図
【図２】本実施の形態に係る水平偏向回路の動作を説明するための回路図
【図３】図２の水平偏向回路の動作を示す波形図
【図４】本実施の形態に係る水平偏向回路の具体的な構成例を示す回路図
【図５】本実施の形態に係る電圧発生回路の内部で発生する各種信号および電流の例を示す波形図
【図６】本実施の形態に係る振幅振動補正回路により発生する各種信号および電流の例を示す波形図
【図７】水平偏向コイルに流れる水平偏向電流の経時変化を説明するための図
【図８】図７に示す水平偏向電流の電流波形に対応した表示画面の状態を説明するための図
【図９】水平偏向電流の歪みを低減してジグザグ状縦線障害を防止するための構成を等価回路で示した回路図
【図１０】図９の等価回路の動作を説明するための波形図
【図１１】水平偏向電流への外乱の影響を説明する図である
【図１２】外乱電圧による水平偏向電流の変動成分を十分に低減可能な振幅補正回路の一例を示す模式図
【図１３】外乱により発生する水平偏向電流の変動成分の低減方法を説明する図
【符号の説明】
３  同期信号分離回路
６  水平偏向回路
７  ＣＲＴ
１０  パルス生成回路
２０  電圧発生回路
７０  振幅変動補正回路
７１  コンパレータ
７２  位相比較器
７３  ＬＰＦ回路
７４  減衰器
７５  パワーアンプ
７６  抵抗
８０  スイッチング回路
ＬＣ  ラインセンターパルス
ＳＤ  往復タイミングパルス
ＬＨ  インダクタンス成分
ＲＨ  抵抗成分
【図１】
2004282519.tif 000003
【図２】
2004282519.tif 000004
【図３】
2004282519.tif 000005
【図４】
2004282519.tif 000006
【図５】
2004282519.tif 000007
【図６】
2004282519.tif 000008
【図７】
2004282519.tif 000009
【図８】
2004282519.tif 000010
【図９】
2004282519.tif 000011
【図１０】
2004282519.tif 000012
【図１１】
2004282519.tif 000013
【図１２】
2004282519.tif 000014
【図１３】
2004282519.tif 000015